【手続補正書】
【提出日】平成17年12月9日(2005.12.9)
【手続補正１】
【補正対象書類名】明細書
【補正対象項目名】全文
【補正方法】変更
【補正の内容】
【書類名】      明細書
【発明の名称】  電子装置
【特許請求の範囲】
【請求項１】  第１の接続部（３）を介してテレビジョン受信機（２）と接続され、第２の接続部（１０）を介して、スクランブルされた信号のデコーダ（１６）と接続される電子装置（ＶＣＲ）（１）において、
前記第１接続部（３）は少なくとも５つの端子を有し、
前記第１接続部の第１端子（４）は、前記テレビジョン受信機から到来するビデオ信号を受信し、
前記第１接続部の第２端子（５）は、スクランブルされていないビデオ信号を前記テレビジョン受信機に出力し、
前記第１接続部の第３端子（６）は、前記テレビジョン受信機から到来するオーディオ信号を受信し、
前記第１接続部の第４端子（７）は、スクランブルされていないオーディオ信号を前記テレビジョン受信機に出力し、
前記第１接続部の第５端子（８）は、前記電子装置（ＶＣＲ）のマイクロプロセッサ（９）からの制御信号を出力し、
前記第２接続部（１０）は少なくとも５つの端子を有し、
前記第２接続部の第１端子（１１）は、前記第１接続部（３）の第１端子（４）にて受信したビデオ信号を前記デコーダに対して出力し、
前記第２接続部の第２端子（１２）は、前記デコーダからの前記スクランブルされていないビデオ信号を取り込み、
前記第２接続部の第３端子（１３）は、前記第１接続部（３）の第３端子（６）にて前記テレビジョン受信機から受信したオーディオ信号を前記デコーダに対して出力し、
前記第２接続部の第４端子（１４）は、前記デコーダからのスクランブルされていないオーディオ信号を取り込み、
第前記第２接続部の第５端子（１５）は、前記デコーダ（１６）から到来した制御信号を前記電子装置（ＶＣＲ）の前記マイクロプロセッサ（９）に対して入力し、
前記の入力および出力ビデオ信号は、前記マイクロプロセッサ（９）の制御によって制御される第１のビデオスイッチ（１７）を通り、
前記の入力および出力オーディオ信号は、電子装置（ＶＣＲ）のマイクロプロセッサ（９）の制御により、制御線（２０）を介して制御される第２のオーディオスイッチ（１８）を通り、
ここでＥＣＯ１と称される第１のスタンバイモードでは、前記第１のビデオスイッチ（１７）のみがオンに設定され、
前記第２接続部（１０）の第５端子（１５）にて制御信号を受信した後、前記制御線（２０）を介して前記マイクロプロセッサ（９）と前記第２スイッチ（１８）との間で、前記第２スイッチ（１８）をオンにする命令が送信され、
前記第１接続部（３）の第５端子（８）に対して制御信号を送信することによって前記テレビジョン受信機に、表示すべきビデオ信号が前記第１接続部（３）の第２端子（５）にて取り出し可能であることを指示することを特徴とする電子装置。
【請求項２】  前記電子装置（ＶＣＲ）の前記マイクロプロセッサ（９）と前記第２スイッチ（１８）との間の前記制御線（２０）には、制御回路（２３）が設けられており、
該制御回路（２３）は、第１の入力側（２５）と、第２の入力側（２６）と、出力側（２７）とを有しており、
前記第１入力側（２５）は、前記電子装置（ＶＣＲ）の前記マイクロプロセッサ（９）の出力側（２４）と接続されており、
前記第２入力側（２６）は、直流電源（２２）と接続されており、
前記出力側（２７）は前記第２スイッチ（１８）と接続されており、
前記直流電源（２２）は、前記制御回路（２３）の前記第１入力側（２５）の電圧レベルに依存して前記出力側（２７）に接続されるように構成されている、
請求項１に記載の電子装置。
【請求項３】  前記制御回路（２３）はＲＣ積分回路（３９）を有しており、
該ＲＣ積分回路は、第１のスタンバイモード（ＥＣＯ１）と第２のスタンバイモード（ＥＣＯ１）との間の移行をスローダウンして、電力供給源の処理能力内にとどめ、
前記第２のスタンバイモード（ＥＣＯ２）では前記第１および第２のスイッチ（１７，１８）がオンに設定されているモードである、
請求項２に記載の電子装置。
【発明の詳細な説明】
【０００１】
【発明の属する技術分野】
本発明は電子装置、例えばビデオテープレコーダまたはカセットレコーダに関する。
【０００２】
【従来の技術】
あらゆる電子装置において、殊にその電子装置がいわゆるスタンバイモードにあるときの電力消費を低減させる努力がなされている。スタンバイモードとは、赤外線リセット信号を受信する受信回路を除き、その装置がオフとなっているモードのことである。この赤外線リセット信号は例えばリモートコントロール装置から送信される。
【０００３】
デコーダおよびテレビジョン受信機と常時接続されている電子装置の場合には、テレビジョン受信機がオンであり、電子装置とデコーダがスタンバイモードであることがある。この状態は利用者が、ビデオ信号をスクランブルで送信するチャンネルに切り換えない限りは継続する。利用者がスクランブルされたチャンネルに切り換えた場合には、このデコーダはオンになる必要がある。デコーダのレベルで行われるべきこの変更は、スタンバイモードにある電子装置を通過する。詳しく説明すると、テレビジョン受信機からのビデオ信号は、電子装置の背面にある、例えばｓｃａｒｔ１と称される第１の接続部の第１端子を介して電子装置に入り、同様に電子装置の背面にある、例えばｓｃａｒｔ２と称される第２の接続部の第１端子を介して電子装置からデコーダに達する。デコーダは受信した信号が、スクランブルされた信号であるか否かを検出する。受信した信号がスクランブルされた信号であることが検出された場合には、デコーダ内のマイクロプロセッサが第２接続部の第２端子をハイに設定する。 第２接続部の第２端子のレベルを検査するルーチンを有する、電子装置内のマイクロプロセッサはこの情報を受信する。第２端子がハイであることが検出された場合には、このルーチンは第１接続部の第２端子をハイに設定する。スクランブルされていないビデオ信号は、第２接続部の第３端子を介して電子装置に再び入り、第１接続部の第３端子を介して電子装置からテレビジョン受信機に戻る。このような電子装置を介しての、テレビジョン受信機とデコーダとの間の信号のループは、 電子装置の複数のスイッチによって可能である。これらのスイッチは電子装置内のマイクロプロセッサにより制御される。
【０００４】
【発明が解決しようとする課題】
本発明の課題は、電子装置がスタンバイモードにおかれている場合に、この電子装置の電力消費を低減することであり、ここでこの電子装置はその第１接続部および２を介して、デコーダ（または例えばｓｃａｒｔ接続を有する任意の装置）およびテレビジョン受信機に接続されているものである。
【０００５】
【課題を解決するための手段】
上記課題は、本発明の請求項１の特徴部分により解決される。すなわち第１の接続部を介してテレビジョン受信機と接続可能であり、また第２の接続を介して、スクランブルされた信号を復号するデコーダと接続可能である電子装置において、この第１接続部は、少なくとも５つの端子を有し、第１端子はテレビジョン受信機から到来するビデオ信号を受信し、第２端子はスクランブルされていないビデオ信号をテレビジョン受信機に出力し、第３端子はテレビジョン受信機から到来するオーディオ信号を受信し、第４端子は、スクランブルされていないオーディオ信号をテレビジョン受信機に出力し、第５端子は電子装置のマイクロプロセッサからの制御信号を出力する。前記の第２接続部は少なくとも５つの端子を有し、第２接続部の第１端子は前記第１接続部の第１端子で受信したビデオ信号を前記デコーダに対して出力し、第２接続部の第２端子は前記デコーダからのスクランブルされていないビデオ信号を取り込み、第２接続部の第３端子は、テレビジョン受信機から前記第１接続部の第３端子で受信したオーディオ信号を前記デコーダに対して出力し、第２接続部の第４端子はこのデコーダからのスクランブルされていないオーディオ信号を取り込み、第２接続部の第５端子はこのデコーダから到来した制御信号を電子装置のマイクロプロセッサに入力する。これらの入力および出力ビデオ信号はマイクロプロセッサの制御によって制御される第１のビデオスイッチを通り、入力および出力オーディオ信号は電子装置のマイクロプロセッサの制御によって制御される第２のオーディオスイッチを通る。ただしＥＣＯ１モードと称される第１のスタンバイモードでは、前記第１のビデオスイッチのみがオンに設定される。前記第２接続部の第５端子にて制御信号を受信した後、前記第２のスイッチをオンする命令が送信され、前記第１接続部の第５端子に対して制御信号が送信される。この制御信号の機能は、テレビジョン受信機内の制御をトリガし、ビデオ信号が前記第１接続部の第２端子にて取り出し可能であることを知らせることである。
【０００６】
【発明の実施の形態】
本発明はつぎのような事実に対する認識に基づく。すなわち受信したテレビジョン信号がスクランブルされた信号であることを検出するためには、デコーダはビデオ信号だけを受信さえすればよく、オーディオ信号を受信する必要がないということである。この事実を考慮してマイクロプロセッサのルーチンを修整改良したものである。本発明によれば、電子装置がここでは「エコ」スタンバイモードと称されるモードにある場合には、オーディオスイッチがオフにされる。「エコ」は「エコロジー」を表している。
【０００７】
本発明の詳細な実施形態を以下図面を参照して説明する。
【０００８】
図１は電子装置１を示している。この電子装置はデコーダとテレビジョン受信機とに接続されているが、このデコーダとテレビジョン受信機は本発明には含まれない。この電子装置においては本発明の理解のために必要な回路だけが概略的な形態で示されている。この電子装置１は、第１接続部３によってテレビジョン受信機２に接続されており、またデコーダ１６には第２接続部１０によって接続されている。このような接続部、例えばｓｃａｒｔは当業者には公知である。ｓｃａｒｔは複数の端子または端子からなり、各端子は公知の機能を有する。本発明の理解のために、これらの端子のうち５つについてのみ考えることにする。電子装置１はマイクロプロセッサ９を有している。このマイクロプロセッサ９は、制御線１９および２０を介してそれぞれビデオスイッチ１７およびオーディオスイッチ１８を制御する。第１接続部３の第１端子４は、テレビジョン受信機２から到来するビデオ信号の受信用である。このビデオ信号は、スイッチ１７がオンであれば、スイッチ１７および第２接続部１０の第１端子１１を介してデコーダに転送可能である。同様に、スクランブルされていないビデオ信号は、第２接続部１０の第２端子１２からスイッチ１７を介して第１接続部３の第２端子５に転送可能である。第１接続部３の第３端子６は、テレビジョン受信機２から到来するオーディオ信号の受信用である。このオーディオ信号は、スイッチ１８がオンであれば、スイッチ１８および第２接続部１０の第３端子１３を介してデコーダに転送可能である。同様に、スクランブルされていないオーディオ信号は、第２接続部１０の第４端子１４からスイッチ１８を介して第１接続部３の第４端子７に転送可能である。第２接続部１０の第５端子１５を介してデコーダからマイクロプロセッサ９に制御信号を送信可能である。同様に第１接続部３の第５端子８を介してマイクロプロセッサ９からテレビジョン受信機２に制御信号が送信可能である。
【０００９】
本発明の動作を説明する前に、テレビジョン受信機２はオンであり、放送局にチューニングされており、またこのテレビジョン受信機２に接続された電子装置およびデコーダ１６は、 ＥＣＯ１スタンバイモードと称する第１のスタンバイモードにあるものと理解されたい。このモードでは、上記に説明したように、オーディオスイッチ１８はオフであり、ビデオスイッチ１７はオンである。これによってテレビジョン受信機２から到来するビデオ信号のみが、端子４、スイッチ１７および第２接続部１０の端子１１を介してデコーダに達する。端子４におけるこのビデオ入力信号は、スクランブルされた信号でもスクランブルされていない信号でもよい。前記デコーダには回路が備えられており、この回路によってデコーダは、到来するビデオ信号がスクランブルされているか、スクランブルされていないかを検出可能である。デコーダ１６によって受信された信号が、スクランブルされていない信号であることが検出された場合には、何も行われない。到来した信号がスクランブルされた信号であることが検出された場合には、デコーダ１６のマイクロプロセッサがそのことを検出する。この検出が行われると、デコーダはデコーダ制御信号を電子装置への転送するようにまずトリガされる。一般的にはこれは端子１５をローからハイに設定するだけでよい。この制御信号は第２の第２接続部１０の第５端子１５で受信される。到来した制御信号は電子装置の内部のマイクロプロセッサ９に送られる。この制御信号を受信すると、マイクロプロセッサ９はテレビジョン受信機２に対して電子装置制御信号を出す。一般的にはこれは端子８をローからハイに設定することによって行われる。これによってオーディオスイッチ１８もオンとなり、本発明では第１のスタンバイモード（ＥＣＯ１）がオフとなる。オーディオスイッチ１８がオンであり、端子１５および８がハイに設定されているこの第２のスタンバイモードをＥＣＯ２モードと称する。この電子装置制御信号は、第１接続部３の第５端子８を介してテレビジョン受信機に送信される。この電子装置制御信号はテレビジョン受信機２に対して、表示すべき到来ビデオ信号が、第１接続部３の第２端子５にて取り出し可能であることを指示する。またテレビジョン受信機２のスピーカに送られるべきオーディオ信号は、スクランブルされていない信号であり、第１接続部３端子７から到来することを指示する。電子装置を介してデコーダ１６が受信した信号がスクランブルされた信号である間は、端子１５および８はハイのままであり、電子装置はＥＣＯ２のスタンバイモードである。受信した信号がスクランブルされていない信号になった場合、または例えばテレビジョン受信機２のオフになったためなど信号が受信できなくなった場合には、デコーダ１６は端子１５をローに戻し、電子装置のＥＣＯ１モードが再開される。電力消費はＥＣＯ１モードでは約３Ｗであり、ＥＣＯ２モードでは約４Ｗである。
【００１０】
図１では概略的にオーディオスイッチ１８が、制御線２０を介してマイクロプロセッサ９の制御下にあることが示されている。制御線２０を使用してスイッチ１８をオンオフする制御回路を図２に示す。
【００１１】
スイッチ１８は、１４Ｖの直流電源２２が給電されるオーディオ回路２１に含まれている。破線で示した回路２３が電子装置に追加されている。この回路２３の目的は前記の直流電源２２からの給電を、マイクロプロセッサ９の出力側２４のレベルにしたがって、オーディオ回路２１に行うことである。この回路２３は、２つの入力側を有する。第１の入力側２５は、マイクロプロセッサ８の出力側２４のレベルを入力するためのものであり、第２の入力側２６は、電源２２から給電される直流電圧を入力するためのものである。回路２３は、前記の電圧をオーディオ回路２１の入力側２８に給電するまたは給電しないために出力側２７を有する。図２に示した実施形態では、出力側２４がハイの場合には、電流が入力側２８に給電される。出力側２４がローの場合には、電流は入力側２８に給電されない。回路２３は、主に２つのトランジスタから成っており、第１のトランジスタ２９はＮＰＮトランジスタであり、第２のトランジスタ３３はＰＮＰトランジスタである。トランジスタ２９は、制御回路２３の入力側２５に接続されたベース３０と、基準電圧に接続されたエミッタ３１と、トランジスタ３３のベース３４に接続されたコレクタ３２とを有する。トランジスタ３３のエミッタ３５は、電源２２の直流電圧が給電される入力側２６と接続されている。トランジスタ３３のコレクタ３６は出力側２７と接続されている。
【００１２】
回路２３は、それ自身公知のように、以下のように動作する。トランジスタ２９のベース３０がハイの場合、すなわちマイクロプロセッサ９の出力側２４がハイの場合には、トランジスタ２９は導通し、したがってトランジスタ３３のベース３４はローである。これは出力側２７が、トランジスタ３３のエミッタコレクタ路を介して電源２２の電圧を給電することを意味している。
【００１３】
図２において概略的に示したようにベース３０は、キャパシタ３７と抵抗３８からなるＲＣ積分回路３９を介してハイとなる。このＲＣ積分回路３９は、ＥＣＯ１モードと、ＥＣＯ２すなわちノーマルスタンバイモードとの間の移行をスローダウンし、とりわけ電源２２に給電する（図示していない）電力供給源の処理能力内にとどめるためである。
【図面の簡単な説明】
【図１】
本発明の電子装置の概略ブロック図である。
【図２】
本発明による、電子装置内のオーディオスイッチをオンオフするための制御回路の例である。
【符号の説明】
１  電子装置
２  テレビジョン受信機
３，１０  第１接続部，第２接続部
４〜８，１１〜１５  端子
９  マイクロプロセッサ
１６  デコーダ
１７  ビデオスイッチ
１８  オーディオスイッチ
１９，２０  制御線
２１  オーディオ回路
２２  直流電源
２３  制御回路
３９  ＲＣ積分回路